(57)【要約】【課題】簡単で省スペースの構造で、蓋体がゆっくりと開く炊飯器を提供する。【解決手段】炊飯器本体１と、前記炊飯器本体１の上面開口部を開閉自在に覆う蓋体３と、前記蓋体３をヒンジ軸４を通じて回動可能に支持するヒンジ部と、前記蓋体３を開放方向に付勢する付勢手段５と、前記ヒンジ軸４に組み付けられ、前記蓋体３の開成に対し制動を行う制動機構（オイルダンパー）６を設け、前記オイルダンパー６はヒンジ部の外側に構成した炊飯器とすることにより、耐久などの経年劣化により、仮にオイルダンパー６からのオイル漏れが発生したとしても、オイルダンパー６がヒンジ部の外側の蓋体３内に設けている為、配線処理がされヒンジ部にオイルが流出することを防止できる為、配線にオイルが触れる懸念をなくすことができ、安全な炊飯器を提供することができる。【選択図】図１
2009285112.tif 000002
【特許請求の範囲】
【請求項１】
炊飯器本体と、前記炊飯器本体の上面開口部を開閉自在に覆う蓋体と、前記蓋体をヒンジ軸を通じて回動可能に支持するヒンジ部と、前記蓋体を開放方向に付勢する付勢手段と、前記ヒンジ軸に組み付けられ、前記蓋体の開成に対し制動を行うオイルダンパーとを具備し、前記オイルダンパーはヒンジ部の外側の前記蓋体内に構成した炊飯器。
【請求項２】
前記オイルダンパーの周りをリブで囲うように構成した請求項１に記載の炊飯器。
【請求項３】
前記ヒンジ軸に防壁を設けた請求項１に記載の炊飯器。
【請求項４】
前記炊飯器本体内の配線部とは略反対側にオイルダンパーを設けた請求項１に記載の炊飯器。
【発明の詳細な説明】
【技術分野】
【０００１】
本発明は、蓋の開成を自動的に行うようにした炊飯器に関するものである。
【背景技術】
【０００２】
最近の炊飯器は、本体の上部を覆う蓋体を簡単な操作により自動的に開成できるものが主流であり、特に高級な炊飯器では、蓋の開き途中のスピードの安定感、止まり際のゆったり感、一連の開き動作における静かさ等の高級な質感を実現する為に、ヒンジ部にギヤダンパー・オイルダンパー等の制動機構を構成しているものがある。
【０００３】
その構成は、本体後方に設けたヒンジ軸の近傍に配設したバネにより、蓋を開成する方向に付勢するとともに、本体前方にて蓋前方の係止部と係合するフックボタンを設けており、フックボタンを操作することにより、蓋の係止部との係合が解除される。
【０００４】
また、ヒンジ部の内側のヒンジ軸には制動機構（ギヤダンパー）が連結されており、蓋開成時には内包するギヤ及び抵抗羽よる空気抵抗によって制動力を発生させて蓋の動きを緩和している（例えば、特許文献１参照）。
【特許文献１】特開平８−１５００７２号公報
【発明の開示】
【発明が解決しようとする課題】
【０００５】
しかしながら、従来の炊飯器の構成の制動機構（ギヤダンパー）は、いくつものギヤが連結されている為、ダンパー全体が大きくなっており、ギヤダンパーを配設するヒンジ部が大きくなり、ヒンジ部の小型化、ひいては製品の小型化が困難となる。
【０００６】
また、製品の小型化を目指し、オイルダンパーを採用した場合は、ギヤダンパーに比べて小さく構成しやすいものの、オイル漏れに対する注意が必要である。
【０００７】
本発明は、前記従来の課題を解決するもので、オイルダンパーを採用して製品の小型化を図るとともに、蓋の開き途中でのスピードの安定感、止まり際のゆったり感、一連の開き動作における静けさ等の高級イメージを実現でき、かつオイルダンパーを配線処理がされるヒンジ部の外側の蓋体内に配設することにより、オイルダンパーからのオイル漏れが仮に発生した場合にでも、配線にかかることはなく、不安全にならない炊飯器を提供することを目的とする。
【課題を解決するための手段】
【０００８】
前記従来の課題を解決するために、本発明の炊飯器は、炊飯器本体と、前記炊飯器本体の上面開口部を開閉自在に覆う蓋体と、前記蓋体をヒンジ軸を通じて回動可能に支持するヒンジ部と、前記蓋体を開放方向に付勢する付勢手段と、前記ヒンジ軸に組み付けられ、前記蓋体の開成に対し制動を行うオイルダンパーとを具備し、前記オイルダンパーはヒンジ部の外側の前記蓋体内に構成したものである。
【０００９】
このように、オイルダンパーを採用したことで製品の小型化をはかれるとともに、耐久などの経年劣化により仮にオイルダンパーからのオイル漏れが発生したとしても、配線の処理部であるヒンジ部の外側の蓋体内に配設している為、配線にオイルが触れる懸念をなくすことができ、安全な炊飯器を提供することができる。
【発明の効果】
【００１０】
本発明の炊飯器は、オイルダンパーが配線の処理部であるヒンジ部の外側の蓋体内に配設していることにより、耐久などの経年劣化により仮にオイルダンパーからのオイル漏れが発生したとしても、オイルダンパーが配線の処理部であるヒンジ部の外側の蓋体内に配設している為、配線にオイルが触れる懸念をなくすことができ、安全な炊飯器を提供することができる。
【発明を実施するための最良の形態】
【００１１】
第１の発明は、炊飯器本体と、前記炊飯器本体の上面開口部を開閉自在に覆う蓋体と、前記蓋体をヒンジ軸を通じて回動可能に支持するヒンジ部と、前記蓋体を開放方向に付勢する付勢手段と、前記ヒンジ軸に組み付けられ、前記蓋体の開成に対し制動を行うオイルダンパーとを具備し、前記オイルダンパーはヒンジ部の外側の前記蓋体内に構成したものである。
【００１２】
したがって、耐久などの経年劣化により仮にオイルダンパーからのオイル漏れが発生したとしても、配線にオイルが触れる懸念をなくすことができ、安全な炊飯器を提供することができる。
【００１３】
第２の発明は、前記第１の発明において、前記オイルダンパーの周りにリブで囲うことで、オイルが蓋体から流出するのを確実に防止したものである。
【００１４】
第３の発明は、前記第１の発明において、前記ヒンジ軸に防壁を設けることで、オイルが蓋体から流出するのを確実に防止したものである。
【００１５】
第４の発明は、前記第１の発明において、炊飯器本体内の配線部とは略反対側にオイルダンパーを設けたことにより、ヒンジ軸を通じて、蓋体内からヒンジ部内にオイル漏れが発生したとしても、オイルダンパーの近傍のヒンジ部には配線がない為、配線に触れることはなく、安全な炊飯器を提供することができる。
【００１６】
以下、本発明の実施の形態について、図面を参照しながら説明する。なお、この実施の形態によって本発明が限定されるものではない。
【００１７】
（実施の形態１）
図１に示すように、本実施の形態における炊飯器は、上面が開口した本体１と、この本体１に収納されるステンレス、鉄などの磁性体からなる鍋２と、前記本体１の上面開口部を覆う蓋体３と、同蓋体３を本体１に対して開閉自在に軸支するヒンジ軸４と、前記蓋体３を開成方向に付勢するバネなどの付勢手段５と、ヒンジ部４の軸に組みつけられ、蓋体３の開成に対し制動を行うオイルダンパー６とを備えている。
【００１８】
そして、オイルダンパー６は、配線処理がされるヒンジ部４の略外側にある蓋体３の内部に配設している。
【００１９】
また、本体１内には鍋２を収納する鍋収納部７と、その下方に設置した加熱コイルなどの加熱手段８と、この加熱手段８への通電制御などを行う電源基板９とを備えている。
【００２０】
すなわち、本実施の形態では、鍋２を誘導発熱させ、その内部の調理物（図示せず）を加熱調理する。
【００２１】
また、本体１の上面開口部を覆う蓋体３は、付勢手段５により常に開成方向に付勢されつつヒンジ部４で回動自在に軸支されているが、他方側ではフックボタン１０により本体１と係合されている。
【００２２】
ここで、フックボタン１０を操作することにより係合が解除され、付勢手段５により蓋体３は自動的に開成されるが、付勢手段５の付勢力により蓋体３が開成する際にオイルダンパー６で制動力を働かせる。
【００２３】
なお、オイルダンパー６は蓋体３内のダンパー取付け部１１に取り付けられ、ヒンジ部４はヒンジカバー１２で覆われていて、本体１の外から見えないようにしている。
【００２４】
また、蓋体３には、フラットケーブルなどの配線１３で電源基板９とを連結されている表示基板１４を有しており、ここで操作入力などを行うとともに炊飯・保温などの状態表示や時刻表示などを行う。
【００２５】
さらに、蓋体３の内側には、ステンレス製の内蓋１５、樹脂製の内蓋支え１６、および鍋パッキン１７からなる内蓋ユニット１８が装着されており、この内蓋ユニット１８は、鍋パッキン１７が鍋２の上部のフランジ部２ａに当接することにより鍋２を閉塞する。
【００２６】
図２に示すように、ヒンジ部４の内側にフラットケーブル１３が配線処理されている。
【００２７】
オイルダンパー６の詳細を図３に示す。ヒンジ部４の軸には、回転規制用のリブ４ａ，リブ４ｂ、およびＤカット面４ｃが形成されている。リブ４ａ、Ｄカット面４ｃは蓋３に設けたキー溝付き穴やＤ形状穴に、リブ４ｂはオイルダンパー６に設けたキー溝付き部品に嵌め合わされ、回転規制を行う。
【００２８】
オイルダンパー６は、ダンパー蓋６ａ、ダンパー軸６ｂ、ダンパーボディ６ｃ、パッキン６ｄ、６ｅ、オイル（図示しない）によって構成されている。
【００２９】
ダンパー軸６ｂにはヒンジ部４の軸のリブ４ｂに嵌合するキー溝６ｆとオイル穴６ｇが形成されている。
【００３０】
ダンパーボディ６ｃの下面６ｈは、取り付ける部品の形状に合わした形にしており、実施例では蓋体３のダンパー取り付け部１１が平面の為、平面形状にしており、ダンパー取り付け部１１に接するかまたは近接するように配設している。
【００３１】
そして、オイルダンパー６は、ダンパー軸６ｂの小円筒側にパッキン６ｄ、大円筒側内部にパッキン６ｅを挿入した状態でオイルを注入したダンパーボディ６ｃに挿入した後、ダンパー蓋６ａを接着してオイルを封じている。
【００３２】
ダンパー軸６ｂが回転すると、オイルが抵抗体となり制動力が発生する。この構成の場合、ダンパー蓋６ａとダンパーボディ６ｃの接着部、および各パッキン６ｄ、６ｅ部分からのオイル漏れが懸念されるが、従前のギヤダンパーに比べて小さく構成できる。
【００３３】
上記の構成の炊飯器において、フックボタン１０を操作すると、付勢手段５の付勢力により蓋体３は開くが、オイルダンパー６によりその開き動作が抑制され、常に安定したスピードで開くことになり、また、止まり際にもゆっくりと止まる上に、オイルダンパー６により蓋体３の動きが緩和され、静かに蓋開成動作が行われる高級イメージが実現する。
【００３４】
また、ギヤダンパーに比べて小さく構成でき、ヒンジ部４の外型にオイルダンパー６を配設している為、オイルダンパー６を入れるためにヒンジ部４を大きくする必要はなく、炊飯器に対する小型化の要求に応えることができる。
【００３５】
加えて、仮にオイルダンパー６からオイル漏れが発生した際、オイルは蓋体３内に伝わるが、オイルダンパー６周りを蓋体３から形成した防壁リブ１９で囲めば、配線処理がされるヒンジ部４に流入することを防止でき、安全である。
【００３６】
以上のように、本実施の形態の炊飯器によれば、使用者は蓋開き途中のスピードの安定感、止まり際のゆったり感、一連の開き動作における静けさなどの高級イメージのある小型の安全な炊飯器を使用することができる。
【００３７】
なお、本実施の形態において、ヒンジ部４と蓋体３、オイルダンパー６の回転規制形状はリブ、Ｄカット面によるものとしたが、ピンなどの別部材で行うなど、別手段でもよい。また、オイルダンパー６の構成も限定されるものではない。
【００３８】
（実施の形態２）
図４、図５は、本発明の実施の形態２を示すもので、実施の形態１との異なる点は、ヒンジ部４の軸に防油壁４ｄを設けたところである。
【００３９】
なお、図２，３と同作用をする構成要素には同一符号を付し、具体的説明は実施の形態１のものを援用する。
【００４０】
耐久などの経年劣化でオイルダンパー６からオイル漏れが発生し、ヒンジ部４の軸を伝って、防壁リブ１９との隙間から防壁リブ１９外にオイル流出しようとしても、漏れたオイルは防油壁４ｄにより蓋体３下面に落ち、更に配線処理がされるヒンジ部４内への進入を防止することができ、安全である。
【００４１】
なお、本実施の形態において、配線処理されるヒンジ部近傍にオイルダンパー６を配設しているが、炊飯器本体内の配線部とは略反対側にオイルダンパー６を配設することにより、ヒンジ部を通じて、蓋体内からヒンジ部内にオイル漏れが発生したとしても、オイルダンパーの近傍のヒンジ部には配線がない為、配線に触れることはなく、更に安全な炊飯器を提供することができる。
【産業上の利用可能性】
【００４２】
以上のように、本発明にかかる炊飯器は、オイルダンパーを採用して製品の小型化をはかるとともに、オイルダンパーからのオイル漏れが仮に発生しても、配線処理がされるヒンジ部内にオイルが流入することはなく、リード線に触れる懸念をなくした安全な炊飯器を提供できるので、家庭用、業務用などに関わらず炊飯器全般に適用できる。
【図面の簡単な説明】
【００４３】
【図１】本発明の実施の形態１における炊飯器の断面図
【図２】同炊飯器のオイルダンパー部分の部分背面図
【図３】同炊飯器のヒンジ軸とオイルダンパーの分解斜視図
【図４】本発明の実施の形態２における炊飯器のヒンジ軸とオイルダンパーの分解斜視図
【図５】同炊飯器のオイルダンパー部分の部分背面図
【符号の説明】
【００４４】
１  炊飯器本体
３  蓋体
４  ヒンジ部
４ｄ  防油壁
５  バネ（蓋開成付勢手段）
６  オイルダンパー
１９  防壁リブ
【図１】
2009285112.tif 000003
【図２】
2009285112.tif 000004
【図３】
2009285112.tif 000005
【図４】
2009285112.tif 000006
【図５】
2009285112.tif 000007